(57)【要約】【課題】足踏み式にて蓋体を開閉可能に設定し得るゴミ容器用スタンドであって、蓋体が隙間なく閉じられるようにする。【解決手段】容器本体１が載置される載置台３と、該載置台に設けられた足踏みペダル１１と、該足踏みペダルに連繋され蓋体２を容器本体の上面開口部に着脱自在に被せられるようにする蓋体保持機構とからなり、該蓋体保持機構は蓋体の表面に沿って縦横に延びる把持アーム６を備え、該把持アームの先端部を蓋体の周側面２ａに沿って折り曲げるとともに該折曲部６ａの下端に蓋体の下面開口縁２ｂの肉厚程度に小さく内向きに突出する爪部６ｂを形成し、該爪部を該蓋体の下面開口縁に係合させることで該把持アームに該蓋体を係脱可能に把持させた。【選択図】図３
2005306526.tif 000002
【特許請求の範囲】
【請求項１】
容器本体が載置される載置台と、該載置台に設けられた足踏みペダルと、該足踏みペダルに連繋され蓋体を容器本体の上面開口部に着脱自在に被せられるようにする蓋体保持機構とからなり、該蓋体保持機構は蓋体の表面に沿って縦横に延びる把持アームを備え、該把持アームの先端部を蓋体の周側面に沿って折り曲げるとともに該折曲部の下端に蓋体の下面開口縁の肉厚程度に小さく内向きに突出する爪部を形成し、該爪部を該蓋体の下面開口縁に係合させることで該把持アームに該蓋体を係脱可能に把持させたことを特徴とするゴミ容器用スタンド。
【請求項２】
把持アームの回転中心の高さ水準を蓋体の厚さ内に設定したことを特徴とする請求項１に記載のゴミ容器用スタンド。
【請求項３】
把持アームに蓋体の上面周縁部の凸条に係合するクランプ部を設けたことを特徴とする請求項１または２に記載のゴミ容器用スタンド。
【発明の詳細な説明】
【技術分野】
【０００１】
本発明は足踏み式にて蓋体を開閉可能に設定し得るゴミ容器用スタンドに関するものである。
【背景技術】
【０００２】
例えば医療施術で使用されたガーゼや脱脂綿等の医療廃棄物を収納する使い捨てゴミ容器は、衛生上の理由から蓋体に手を触れることなく開閉できるようにするため、従来より例えば下記特許文献１，２に示されたような足踏み式のゴミ容器用スタンドにセットするものであった。
【特許文献１】特開２００１−４８３０３号公報
【特許文献２】実開平６−６５３０６号公報
【０００３】
ところで、特許文献１に開示されたスタンドは、枠状の支持アームを蓋体の下面周縁部に形成された嵌合溝に合致させて該蓋体を下面から支持するものであったため、該支持アームが邪魔となって蓋体を完全に閉じることができず、蓋体を閉じても臭気等が洩れたり、虫を侵入させたりするおそれがあり、衛生的にも問題であった。また、医療廃棄物回収用のゴミ容器における蓋体の上記嵌合溝の内周には、廃棄時に該蓋体を容器本体の上面開口に密着させ液洩れ等を防ぐために粘着性パッキンが予め塗布されているが、上記のような支持アームを合致させた際にそのパッキンが該支持アームに付着したり、支持アームを着脱する際に嵌合溝を傷付け密着機能を損なわせるおそれがあった。
【０００４】
また、特許文献２に開示されたスタンドは、足踏み式のペダルと連動するクリップを設け、該クリップのスプリングによって蓋体を挟着する構成であったが、この場合も該クリップの下片の先端を蓋体の下側に進出させるものであったので、該下片が邪魔となり蓋体を完全に閉じることができない欠点がある。
【発明の開示】
【発明が解決しようとする課題】
【０００５】
そこで、本発明は上記問題点を解消し、障害となるものがなく蓋体を隙間なく閉じることができるゴミ容器用スタンドを提供しようとするものである。
【課題を解決するための手段】
【０００６】
そのために請求項１に記載のゴミ容器用スタンドは、容器本体が載置される載置台と、該載置台に設けられた足踏みペダルと、該足踏みペダルに連繋され蓋体を容器本体の上面開口部に着脱自在に被せられるようにする蓋体保持機構とからなり、該蓋体保持機構は蓋体の表面に沿って縦横に延びる把持アームを備え、該把持アームの先端部を蓋体の周側面に沿って折り曲げるとともに該折曲部の下端に蓋体の下面開口縁の肉厚程度に小さく内向きに突出する爪部を形成し、該爪部を該蓋体の下面開口縁に係合させることで該把持アームに該蓋体を係脱可能に把持させたことを特徴とする。
【０００７】
また、請求項２に記載の発明は、上記ゴミ容器用スタンドにおいて、把持アームの回転中心の高さ水準を蓋体の厚さ内に設定したことを特徴とする。
【０００８】
また、請求項３に記載の発明は、上記ゴミ容器用スタンドにおいて、把持アームに蓋体の上面周縁部の凸条に係合するクランプ部を設けたことを特徴とする。
【発明の効果】
【０００９】
足踏み操作により蓋体を閉じたときでも蓋体を隙間なく確実に閉じることができて衛生的に使用できる。また、把持アームによって蓋体の嵌合溝を傷付けたりするおそれがない。
【実施例１】
【００１０】
次に請求項１に記載の発明の実施例を図面に従い説明する。図１はゴミ容器用スタンドの斜視図、図２はこれに合成樹脂製の容器本体１と該容器本体の上面開口部に着脱自在に被せられる合成樹脂製の蓋体２をセットしたときの斜視図、図３はその側面図、図４は蓋体２を開けたときの斜視図である。このゴミ容器用スタンドは、鋼線を折曲加工し溶接することにより容器本体１が載置される載置台３が形成され、該載置台の後部に一対の支柱杆４が樹立され、該支柱杆の上端部に支軸５を突設している。そして、このゴミ容器用スタンドに設けられる蓋体保持機構は、把持アーム６の基端部７に該支軸５を貫挿することで該把持アームを該支軸５を回転中心として上下に煽動し得るように支持するとともに、載置台３の下部に軸受片８を支持し、該軸受片に支軸９によってペダル杆１０を傾動自在に枢支し、該ペダルの先端に足踏みペダル１１を設け、該ペダル杆の後端に連結ピン１２を介してリンク杆１３を連結し、該リンク杆の上端を把持アーム６の基端部７寄り下面に形成された軸受片１４に連結ピン１５を介して連結している。
【００１１】
上記把持アーム６は鋼製のフラットバーを蓋体の上面に沿って縦横に延びる十字状の形態に形成し、該把持アームの先端部を蓋体２の周側面２ａに沿って下方に折り曲げるとともに、図５にも示したように、該折曲部６ａの下端に蓋体の下面開口縁２ｂの肉厚程度に小さく内向きに突出する爪部６ｂを形成し、該爪部を該下面開口縁２ｂに係合させることで該把持アーム６に該蓋体を係脱可能に把持させる。なお、１ｂは容器本体１の上部外周に一体に補強を兼ねて形成された把手リブを示し、前記爪部６ｂは図５に示したように該蓋体２を閉状態としたとき該把手リブに干渉しないような厚みに形成される。
そして、図３に示したように、把持アーム６の回転中心である支軸５の高さ水準が該把持アームによって把持された蓋体２の厚さｔ内となるように設定する。
【００１２】
このように構成したゴミ容器用スタンドでは、足踏みペダル１１を踏むことにより蓋体２が開閉され、閉状態では図５に示したように容器本体１の上面開口部を隙間なく閉じることができる。このため使用中に臭気等が洩れたりするおそれがなく衛生的に使用できる。なお、把持アームの回転中心の高さ水準を蓋体の厚さ内に設定したことから、蓋体２は容器本体１の上面開口部に対し常に略々水平に被せられ、自重により閉状態を保つ。
【００１３】
なお、この実施例に示した蓋体２は、図５に示されるように、嵌合溝２ｃの内周にリップ２ｄが突設され、該リップよりも内側の溝内に粘着性パッキン２ｅが予め塗布され、常態では該リップ２ｄに容器本体１の上面開口部１ａが当たることで該上面開口部１ａに該粘着性パッキンが付着しないように構成されている。そして、使用を終えたら該蓋体２を把持アーム６から外し、蓋体２を押圧することで、弾性変形により、図６に示したように、容器本体１の上面開口部１ａが嵌合溝２ｃ内に嵌合し、密着させることができるので、回収途中で液洩れを起こすようなおそれもない。このためこのゴミ容器用スタンドは、このような医療廃棄物の回収用容器を使用するスタンドとして最適なものである。
【実施例２】
【００１４】
また、図７に示した実施例は、Ｔ字状に形成された把持アーム６の一部に板材をコ字状の折曲成形してなるクランプ１６をピン１７によって枢着し、該クランプを蓋体２の上面周縁部に形成された凸条２ｆに挟着し得るようにしたものである。その他の構成は上記実施例１と同一部分について同一符号を付す。このようにクランプ１６を設けることによっても蓋体２を上面から把持することができる。このようにすることにより爪部６ｂは必ずしも蓋体２の全周縁を囲うように設けなくても蓋体２を脱落のおそれなく把持することができる。
【図面の簡単な説明】
【００１５】
【図１】本発明の実施例を示すゴミ容器用スタンドの斜視図。
【図２】図１のゴミ容器用スタンドに容器本体と蓋体をセットしたときの斜視図。
【図３】図２の側面図。
【図４】図２のゴミ容器用スタンドの蓋体を開けたときの斜視図。
【図５】図１のゴミ容器用スタンドにおける把持アームと蓋体との係合部を示す拡大縦断面図。
【図６】容器本体と蓋体との密着状態を示す拡大縦断面図。
【図７】本発明の他の実施例を示すゴミ容器用スタンドの把持アームと蓋体の斜視図。
【符号の説明】
【００１６】
１      容器本体
２      蓋体
２ａ    周側面
２ｂ    下面開口縁
３      載置台
４      支柱杆
５      支軸
６      把持アーム
６ａ    折曲部
６ｂ    爪部
１１    足踏みペダル
１６    クランプ
【図１】
2005306526.tif 000003
【図２】
2005306526.tif 000004
【図３】
2005306526.tif 000005
【図４】
2005306526.tif 000006
【図５】
2005306526.tif 000007
【図６】
2005306526.tif 000008
【図７】
2005306526.tif 000009